(57)【要約】【課題】  受口の奥側にたて樋の挿入量を規定する略円筒形のストッパー段部を設けた受口構造をもつ合成樹脂製のたて樋用の管継手において、止水性に優れる管継手を提供する。【解決手段】  受口２の奥側にたて樋４の挿入量を規定する略円筒形のストッパー段部３を設けたたて樋用の管継手であって、該ストッパー段部に該ストッパー段部とたて樋の先端の間隙に水が滞留することを防ぐ構造を設けたことを特徴とする管継手１。【選択図】  図１
2005350965.tif 000002
【特許請求の範囲】
【請求項１】
受口の奥側にたて樋の挿入量を規定する略円筒形のストッパー段部を設けたたて樋用の管継手であって、該ストッパー段部に該ストッパー段部とたて樋の先端の間隙に水が滞留することを防ぐ構造を設けたことを特徴とするたて樋用の管継手。
【請求項２】
前記ストッパー段部とたて樋の先端の間隙に水が滞留することを防ぐ構造が、該ストッパー段部が部分的に分割された構造であることを特徴とする請求項１に記載のたて樋用の管継手。
【請求項３】
前記ストッパー段部とたて樋の先端の間隙に水が滞留することを防ぐ構造が、該たて樋の先端に対向する該ストッパー段部の面に突起を設けた構造であることを特徴とする請求項１に記載のたて樋用の管継手。
【発明の詳細な説明】
【技術分野】
【０００１】
本発明は、雨水を排水するたて樋用の管継手に関するものである。
【背景技術】
【０００２】
一般に雨水などの排水用の配管材として、広く塩ビ管が使用されており、この塩ビ管の接続には塩ビ製の管継手が使用されている。この管継手においては、受口の奥側に管の挿入量を規定する略円筒形のストッパー段部が設けられている。このストッパー段部の高さは、一般に受口に嵌挿接続されるたて樋の内径とほぼ等しい高さに設定され、流体の流れが阻害されたり固形物が滞留するという不都合を防止している。
【０００３】
例えば、たて樋同士を接続するための管継手として、ベランダの排水もたて樋を通じて排水できるようにしたＹ字形の三方管継手が知られている。（例えば、特許文献１参照）。
【０００４】
【特許文献１】特開平１０−９６３１３号公報（第１頁〜第４頁）
【発明の開示】
【発明が解決しようとする課題】
【０００５】
しかしながら、特許文献１記載の管継手においては、たて樋が接続される接続部がストッパー段部を有する受口タイプであるので、たて樋の挿入長さが不充分で、しかも、接着剤の塗布量が少なくて接着が不充分な場合、たて樋の端面と対向するストッパー段部との間に形成される間隙に滞留した水が、接着層の隙間を通じて外に漏水する場合があるという問題点がある。
【０００６】
本発明の目的は、上記従来の問題点に鑑み、受口の奥側に被接続管であるたて樋の挿入量を規定する略円筒形のストッパー段部を設けた受口構造をもつ合成樹脂製のたて樋用の管継手において、止水性に優れるたて樋用の管継手を提供することにある。
【課題を解決するための手段】
【０００７】
本発明は、上記目的を達成するためになされたものであり、請求項１の発明は、受口の奥側にたて樋の挿入量を規定する略円筒形のストッパー段部を設けたたて樋用の管継手であって、該ストッパー段部に該ストッパー段部とたて樋の先端の間隙に水が滞留することを防ぐ構造を設けたことを特徴とするたて樋用の管継手である。
【０００８】
また、請求項２の発明は、前記ストッパー段部とたて樋の先端の間隙に水が滞留することを防ぐ構造が、該ストッパー段部が部分的に分割された構造であることを特徴とする請求項１に記載のたて樋用の管継手である。
【０００９】
さらに、請求項３の発明は、前記ストッパー段部とたて樋の先端の間隙に水が滞留することを防ぐ構造が、該たて樋の先端に対向する該ストッパー段部の面に突起を設けた構造であることを特徴とする請求項１に記載のたて樋用の管継手である。
【００１０】
本発明のたて樋用の管継手における、ストッパー段部とたて樋の先端の間隙に水が滞留することを防ぐ構造は、例えば該ストッパー段部が部分的に分割された構造である。管の内側から見たストッパー段部の分割の構造は、略円筒形のストッパー段部が例えば管径方向に全長に渡って分割されても良く、ストッパー段部のたて樋との当接面が例えば管径方向に溝を形成する程度に分割されても良い。略円筒形のストッパー段部が例えば管軸方向に斜めに分割されてもよく、曲線を描いて分割されてもよい。
【００１１】
たて樋の先端部側、管軸に直角方向から見たストッパー段部の分割の構造は、ストッパー段部とたて樋の先端の間隙に水が滞留を防ぐために、管の内側に水が流れ得る経路に溝が設けられている構造であることが必要である。管径方向に溝が設けられてもよく、また、ストッパー段部の形成する管内面に接する接線に沿った位置に溝が設けられ分割されてもよく、またこの中間的な角度で、内壁に導かれる位置に溝が設けられ分割されてもよい。
【００１２】
また、本発明のたて樋用の管継手における、ストッパー段部とたて樋の先端の間隙に水が滞留することを防ぐ構造は、例えば該たて樋の先端に対向する該ストッパー段部の面に突起を設けた構造である。突起の形状としては、管径方向の断面で見た場合、例えば正方形、長方形、三角形、台形、円または楕円およびこの一部などの形状が採用される。ストッパー段部の突起がたて樋の先端により損傷を受けないために、三角形または台形の場合、三角形の頂点または台形の上底が各々合成樹脂管の先端に向ける様に配置が成されることが望ましい。正方形、長方形、三角形、台形の場合、欠けを防ぐために各頂点にアールを施しても良い。また、管軸方向の断面、および管径方向と直角方向の断面で見た場合も、上記の形状が適用できる。
【００１３】
ストッパー段部の突起の配置は、たて樋の径方向が個々の突起形状の対称軸の方向に一致する様に配置されることが望ましい。また、個々の突起の対称軸が、たて樋の中心角を等分した位置になる様に、各突起がストッパー段部に配置されることが望ましい。これらは、たて樋の先端からの応力が局部的に掛かることを防止し、応力を分散させて、突起や先端の変形や破損を起さないために望ましい配置である。
【００１４】
突起の管径方向の断面が三角形、台形、円または楕円およびこの一部である場合、突起は略円筒形のストッパー段部の全周に渡って連続して配置されてもよい。
【００１５】
各ストッパー段部の形成は、合成樹脂製のたて樋用の管継手の射出成形時に、異形状の金型を使用して形成することが望ましい。一体成形により構造体としての強度が高く、一般的にコスト面でも有利になるからである。また、各ストッパー段部の部品を別途成形して、継手に溶着、接着しても良い。
【発明の効果】
【００１６】
本発明の請求項１の発明は、受口の奥側にたて樋の挿入量を規定する略円筒形のストッパー段部を設けたたて樋用の管継手であって、該ストッパー段部に該ストッパー段部とたて樋の先端の間隙に水が滞留することを防ぐ構造を設けたことを特徴とするたて樋用の管継手であるので、滞留水が受口とたて樋の間を通って漏水することがなく、止水性に優れるたて樋用の管継手である。
【００１７】
また、請求項２の発明は、前記ストッパー段部とたて樋の先端の間隙に水が滞留することを防ぐ構造が、該ストッパー段部が部分的に分割された構造であるので、請求項１の発明の効果と同様の効果を有する、止水性に優れるたて樋用の管継手である。
【００１８】
さらに、請求項３の発明は、前記ストッパー段部とたて樋の先端の間隙に水が滞留することを防ぐ構造が、該たて樋の先端に対向する該ストッパー段部の面に突起を設けた構造であるので、請求項１の発明の効果と同様の効果を有する、止水性に優れるたて樋用の管継手である。
【発明を実施するための最良の形態】
【００１９】
以下、本発明のたて樋用の管継手の実施の形態を添付図面に基づいて説明する。
【００２０】
図１は、本発明のたて樋用の管継手を用いた施工の一例を示す部分断面図である。図１において、１はたて樋用の管継手本体、４はたて樋、３はストッパー段部である。たて樋４はたて樋用の管継手１の受口２で接続されている。２ａは上方受口、２ｂは下方受口、２ｃは側方受口である。
【００２１】
図中の上方受口２ａの縦断面おいて、ストッパー段部３ａはストッパー段部３ａ１の溝により部分的に分割されている。
図２は、上記の上方受口２ａのストッパー段部を上方から見た平面図である。ストッパー段部の溝３ａ１は、管の中心角を等分した位置に８箇所、管径方向に設けられ、ストッパー段部３ａが部分的に分割された構造となされている。
【００２２】
ストッパー段部３とたて樋４の先端の間隙に溜まろうとする水は、ストッパー段部の溝３ａ１を通して滞留することなく管の内側に流れていき、滞留水が受口とたて樋の間を通って漏水することはない。
【００２３】
図１の下方受口２ｂの縦断面おいて、ストッパー段部３ｂには楕円形の半分の形状である突起３ｂ１が設けられている。
図３は、上記の下方受口２ｂのストッパー段部を下方から見た平面図である。ストッパー段部の突起３ｂ１は、管の中心角を等分した位置に８箇所、ストッパー段部３ｂの管径方向の中央に位置する箇所に設けられている。
【００２４】
ストッパー段部３とたて樋４の先端の間隙に溜まろうとする水はストッパー段部の突起３ｂ１があるため滞留することなく、管の内側に流れていき、滞留水が受口とたて樋の間を通って漏水することはない。
【００２５】
図４は、本発明のたて樋用の管継手のストッパー段部の構造の一例を示す斜視図である。図は、部分的に分割された構造を示している。図４（ａ）のストッパー段部の構造は、円筒形のストッパー段部が管径方向に全長に渡って分割されたものである。ストッパー段部３ａは、管の中心角を８等分した位置で、管径方向に分割された構造となされている。
【００２６】
図４（ｂ）のストッパー段部の構造は、ストッパー段部の溝３ａ１が管の中心角を等分した位置に８箇所、管径方向に設けられ、ストッパー段部３ａが部分的に分割された構造となされている。
【００２７】
図５は、本発明のたて樋用の管継手のストッパー段部の構造の一例を示す管径を通る断面図である。図５（ａ）は、先端対向面の突起３ｂ１の管径方向の断面が半円形である場合である。突起３ｂ１は略円筒形のストッパー段部３ｂの全周に渡って連続して配置されてもよいし、管の中心角を等分した位置に設けられてもよい。先端は、継手受口に接続される時、突起３ｂ１の先端で止まるが、水が滞留することがなく、滞留水が受口とたて樋の間を通って漏水することもない。
【００２８】
図５（ｂ）は、先端対向面の突起３ｂ１の管径方向の断面が三角形である場合である。この場合も、突起３ｂ１は略円筒形のストッパー段部３ｂの全周に渡って連続して配置されてもよいし、管の中心角を等分した位置に設けられてもよい。先端とストッパー段部３の間に、水が滞留することがなく、滞留水がテーパー受口とたて樋の間を通って漏水することもない。
【００２９】
図５（ｃ）は、突起３ｂ１の管径方向の断面が半円形である場合であるが、（ａ）と異なり、ストッパー段部３ｂの径方向の中央の一部に設けられている。この場合も、突起３ｂ１は略円筒形のストッパー段部３ｂの全周に渡って連続して配置されてもよいし、管の中心角を等分した位置に設けられてもよい。先端とストッパー段部３の間に、水が滞留することがなく、漏水することもない。
【００３０】
以上の如く、本発明は、受口の奥側にたて樋の挿入量を規定する略円筒形のストッパー段部を設けたたて樋用の管継手であって、該ストッパー段部に該ストッパー段部とたて樋の先端の間隙に水が滞留することを防ぐ構造、すなわち例えばストッパー段部が部分的に分割された構造を設けた継手であり、また例えば先端に対向する面に突起を設けた構造を設けたたて樋用の管継手であるので、たて樋の先端と対向するストッパー段部の間隙に水が滞留することがなく、滞留水が管と継手の間を通って漏水することがなく、止水性能に優れるたて樋用の管継手である。
【図面の簡単な説明】
【００３１】
【図１】本発明のたて樋用の管継手の一例を使用状態と共に示す部分断面図である。
【図２】図１のたて樋用の管継手の上方受口のストッパー段部を上方から見た平面図である。
【図３】図１のたて樋用の管継手の下方受口のストッパー段部を下方から見た平面図である。
【図４】本発明のたて樋用の管継手のストッパー段部の構造の一例を示す斜視図である。（部分的に分割された構造）
【図５】本発明のたて樋用の管継手のストッパー段部の構造の一例を示す管径を通る断面図である。（先端対向面に突起を持つ構造）
【符号の説明】
【００３２】
１：たて樋用の管継手本体
２：受口
２ａ：上方受口
２ｂ：下方受口
２ｃ：側方受口
３：ストッパー段部
３ａ：ストッパー段部（部分的に分割）
３ａ１：ストッパー段部の溝
３ｂ：ストッパー段部（先端対向面に突起）
３ｂ１：ストッパー段部の突起
４：たて樋
【図１】
2005350965.tif 000003
【図２】
2005350965.tif 000004
【図３】
2005350965.tif 000005
【図４】
2005350965.tif 000006
【図５】
2005350965.tif 000007